(57)【要約】【課題】コンテンツの視聴時間を考慮して電池残量の判定を行い、コンテンツ視聴開始時点で充電又は交換の必要の有無をユーザに教示することにより、コンテンツ視聴途中で電池切れを防ぐことを可能とする立体画像視聴眼鏡、立体画像視聴システム、及び立体画像表示装置及びテレビジョン受信装置を提供する。【解決手段】立体画像視聴眼鏡において、受信部は制御信号の信号源から時間情報を受信するようしてあり、計測部が計測した電池の電圧に基づいて、左眼用及び右眼用液晶シャッタが駆動可能な時間を示す残駆動時間を算出する算出部と、前記受信部で受信した時間情報及び前記算出部が算出した残駆動時間に基づいて、表示部は、前記電池の充電又は交換に関する表示を行う。【選択図】図２
2013126179.tif 000002
【特許請求の範囲】
【請求項１】
左眼用液晶シャッタと、
右眼用液晶シャッタと、
左眼用及び右眼用液晶シャッタそれぞれを開閉制御する制御部と、
開閉制御用の制御信号を受信する受信部と、
前記左眼用及び右眼用液晶シャッタを駆動する電池と、
該電池の電圧を計測する計測部と
を備えた立体画像視聴眼鏡において、
前記受信部は、前記制御信号の信号源から時間情報を受信するようしてあり、
前記計測部が計測した前記電池の電圧に基づいて、前記左眼用及び右眼用液晶シャッタが駆動可能な時間を示す残駆動時間を算出する算出部と、
前記受信部で受信した時間情報及び前記算出部が算出した残駆動時間に基づいて、前記電池の充電又は交換に関する表示を行う表示部と
を更に備えることを特徴とする立体画像視聴眼鏡。
【請求項２】
請求項１に記載の立体画像視聴眼鏡、並びに、
左眼用画像及び右眼用画像を交互に表示する表示部と、
左眼用画像及び右眼用画像の切り替わりタイミングに関する信号を含む制御信号を前記立体画像視聴眼鏡へ送信する送信部と、
前記表示部に表示しているコンテンツに関する時間情報を前記立体画像視聴眼鏡へ送信する時間送信部と
を有する立体画像表示装置
を備えたことを特徴とする立体画像視聴システム。
【請求項３】
前記立体画像表示装置は、
テレビ放送信号を受信するチューナ部と、
コンテンツに関する時間情報を抽出する抽出部とを更に備え、
前記コンテンツは、放送番組であり、
前記抽出部は、前記チューナ部が受信したテレビ放送信号に含まれるコンテンツに関する時間情報を抽出するようしてあり、
前記時間送信部は、前記抽出部が抽出したコンテンツに関する時間情報を前記立体画像視聴眼鏡へ送信するようしてあること
を特徴とする請求項２に記載の立体画像視聴システム。
【請求項４】
前記立体画像表示装置は、
他の機器からコンテンツ及びコンテンツに関する時間情報を取得するコンテンツ取得部を更に備え、
前記時間送信部は、コンテンツ取得部が取得したコンテンツに関する時間情報を前記立体画像視聴眼鏡へ送信するようしてあること
を特徴とする請求項２又は３に記載の立体画像視聴システム。
【請求項５】
前記立体画像表示装置は、
他の機器からコンテンツを取得するコンテンツ取得部と、
取得したコンテンツの画像を解析しコンテンツに関する時間情報を生成する解析部とを更に備え、
前記時間送信部は、前記解析部が生成したコンテンツに関する時間情報を前記立体画像視聴眼鏡へ送信するようにしてあること
を特徴とする請求項２又は３に記載の立体画像視聴システム。
【請求項６】
左眼用画像及び右眼用画像を交互に表示する表示部と、
左眼用画像及び右眼用画像の切り替わりタイミングに関する制御信号を立体画像視聴眼鏡へ送信する送信部と、
前記表示部に表示しているコンテンツに関する時間情報を前記立体画像視聴眼鏡へ送信する時間送信部と
を有することを特徴とする立体画像表示装置。
【請求項７】
請求項６に記載の立体画像表示装置と、
テレビジョン放送を受信するチューナ部と
を備え、
該チューナ部が受信したテレビジョン放送に係る画像を前記コンテンツとして前記立体画像表示装置に表示するようにしてあること
を特徴とするテレビジョン受信装置。
【発明の詳細な説明】
【技術分野】
【０００１】
本発明は、立体画像を視聴する際に用いる立体画像視聴眼鏡において、電池残量を判定し、充電又は交換が必要ならば、その旨をユーザに通知する立体画像視聴眼鏡、立体画像視聴システム、立体画像表示装置、及びテレビジョン受信装置に関する。
【背景技術】
【０００２】
左右両眼に視差を生じさせて画像を立体的に見せるいくつかの方式が知られている（このような画像を以下「立体画像」という）。それらのなかには視聴の為に専用の眼鏡である液晶シャッタ式眼鏡を必要とする眼鏡方式がある。
【０００３】
液晶シャッタ式眼鏡は、液晶シャッタの制御のために電源を必要とし、その電源を供給するために、例えば、リチウムイオン電池、ニッケル水素電池、アルカリ電池などの電池を搭載している。搭載した電池の残量が少なくなると、液晶シャッタが適切に動作しなくなり、ユーザは立体画像を視聴することができなくなる。そのため、従来の液晶シャッタ式眼鏡では電池残量を監視し、残量が少なくなったことを検知した場合、電池の充電又は交換をユーザに促す表示をするようにしている。
【０００４】
しかし、残量が少ないか否かの判定は、電池電圧が閾値を下回ったか否かで行っている。このような判定方法は、電池電圧が閾値になるまでの時間を考慮していない。したがって、映画など比較的に視聴時間の長いコンテンツを視聴する場合に、視聴開始時には残量が十分であると判定されたものの、視聴途中で電池が切れてしまうことがある。
それに対して、特許文献１に記載の液晶シャッタ式眼鏡では、残量が少ないか否かの判定に用いる残存寿命閾値をユーザが設定可能としている。例えば、残りの動作時間が３時間以下となった場合に残量が少ない旨を表示するよう残存寿命閾値を設定すれば、３時間のコンテンツの視聴途中で電池切れが発生しなくなる。
【先行技術文献】
【特許文献】
【０００５】
【特許文献１】特開２０１０−１２４４６６号公報
【発明の概要】
【発明が解決しようとする課題】
【０００６】
しかし、特許文献１に記載の液晶シャッタ眼鏡では、単に、ユーザが残存寿命閾値を設定可能としているだけで、残存寿命閾値は一定値であることには変わりがない。したがって、視聴するコンテンツの長さによっては不適切な判定がされる場合がある。例えば、コンテンツの視聴時間が１時間であり、動作時間２時間に相当する量の電池残量があれば、視聴中に電池切れは発生せずコンテンツを最後まで視聴することが可能である。しかし、上述の例で言えば、残存寿命閾値の設定は、残りの動作時間が３時間以下となった場合に残量が少ない旨を表示するようしてあるので、実際には最後までコンテンツを視聴可能であるにもかかわらず残量が少ないとの表示がされてしまうこととなる。
【０００７】
本発明は、上述のごとき事情に鑑みてなされたものであり、コンテンツの視聴時間を考慮して電池残量の判定を行い、コンテンツ視聴開始時点で充電又は交換の必要の有無をユーザに通知することにより、コンテンツ視聴途中で電池切れを防ぐことを可能とする立体画像視聴眼鏡、立体画像視聴システム、立体画像表示装置、及びテレビジョン受信装置を提供することを目的とする。
【課題を解決するための手段】
【０００８】
本発明に係る立体画像視聴眼鏡は、左眼用液晶シャッタと、右眼用液晶シャッタと、左眼用及び右眼用液晶シャッタそれぞれを開閉制御する制御部と、開閉制御用の制御信号を受信する受信部と、前記左眼用及び右眼用液晶シャッタを駆動する電池と、該電池の電圧を計測する計測部とを備えた立体画像視聴眼鏡において、前記受信部は、前記制御信号の信号源から時間情報を受信するようしてあり、前記計測部が計測した前記電池の電圧に基づいて、前記左眼用及び右眼用液晶シャッタが駆動可能な時間を示す残駆動時間を算出する算出部と、前記受信部で受信した時間情報及び前記算出部が算出した残駆動時間に基づいて、前記電池の充電又は交換に関する表示を行う表示部とを更に備えることを特徴とする。
【０００９】
本発明にあっては、立体画像視聴眼鏡は、時間情報を取得すると共に、電池の電圧に基づいて液晶シャッタが駆動可能な時間を示す残駆動時間を算出する。時間情報及び残駆動時間に基づいて、電池の充電又は交換が必要であるか否かの判定を行うので、視聴時間に応じて、電池の充電又は交換に関する表示を行うことが可能となる。それにより、視聴途中に電池切れの発生を防ぐことが可能となる。
【００１０】
本発明に係る立体画像視聴システムは、上述の立体画像視聴眼鏡、並びに、左眼用画像及び右眼用画像を交互に表示する表示部と、左眼用画像及び右眼用画像の切り替わりタイミングに関する信号を含む制御信号を前記立体画像視聴眼鏡へ送信する送信部と、前記表示部に表示しているコンテンツに関する時間情報を前記立体画像視聴眼鏡へ送信する時間送信部とを有する立体画像表示装置を備えたことを特徴とする。
【００１１】
本発明にあっては、立体画像視聴システムにおける立体画像表示装置は、表示しているコンテンツに関する時間情報を、立体画像視聴眼鏡へ送信する。立体画像視聴眼鏡は、立体画像表示装置から、コンテンツに関する時間情報を取得すると共に、電池電圧に基づいて残駆動時間を算出する。コンテンツに関する時間情報及び残駆動時間に基づいて、電池の充電又は交換が必要であるか否かの判定を行うので、視聴しているコンテンツの視聴時間に応じて、電池の充電又は交換に関する表示を行うことが可能となる。それにより、コンテンツの視聴途中に電池切れの発生を防ぐことが可能となる。
【００１２】
本発明に係る立体画像視聴システムにおける前記立体画像表示装置は、テレビ放送信号を受信するチューナ部と、コンテンツに関する時間情報を抽出する抽出部とを更に備え、前記コンテンツは、放送番組であり、前記抽出部は、前記チューナ部が受信したテレビ放送信号に含まれるコンテンツに関する時間情報を抽出するようしてあり、前記時間送信部は、前記抽出部が抽出したコンテンツに関する時間情報を前記立体画像視聴眼鏡へ送信するようしてあることを特徴とする。
【００１３】
本発明にあっては、立体画像視聴システムにおける立体画像表示装置は、受信したテレビ放送信号に含まれるコンテンツに関する時間情報を抽出するので、正確な時間情報を取得することが可能となる。立体画像視聴眼鏡は、電池の充電又は交換が必要であるか否かの判定を的確に行うことが、可能となる。
【００１４】
本発明に係る立体画像視聴システムにおける前記立体画像表示装置は、他の機器からコンテンツ及びコンテンツに関する時間情報を取得するコンテンツ取得部を更に備え、前記時間送信部は、コンテンツ取得部が取得したコンテンツに関する時間情報を前記立体画像視聴眼鏡へ送信するようしてあることを特徴とする。
【００１５】
本発明にあっては、立体画像視聴システムにおける立体画像表示装置は、他の機器から取得したコンテンツに関する時間情報を取得し、立体画像視聴眼鏡に送信するので、他の機器から取得したコンテンツを視聴する場合においても、立体画像視聴眼鏡は、残駆動時間及びコンテンツに関する時間情報に基づいて、電池の充電又は交換が必要であるか否かの判定を行うことが、可能となる。
【００１６】
本発明に係る立体画像視聴システムにおける前記立体画像表示装置は、他の機器からコンテンツを取得するコンテンツ取得部と、取得したコンテンツの画像を解析しコンテンツに関する時間情報を生成する解析部とを更に備え、前記時間送信部は、前記解析部が生成したコンテンツに関する時間情報を前記立体画像視聴眼鏡へ送信するようにしてあることを特徴とする。
【００１７】
本発明にあっては、立体画像視聴システムにおける立体画像表示装置は、他の機器から取得したコンテンツの画像を解析しコンテンツに関する時間情報を生成し、立体画像視聴眼鏡へ送信するので、コンテンツに関する時間情報を他の機器から取得できない場合であっても、立体画像視聴眼鏡は、電池の残駆動時間及びコンテンツに関する時間情報に基づいて、電池の充電又は交換が必要であるか否かの判定を行うことが、可能となる。
【００１８】
本発明に係る立体画像表示装置は、左眼用画像及び右眼用画像を交互に表示する表示部と、左眼用画像及び右眼用画像の切り替わりタイミングに関する制御信号を立体画像視聴眼鏡へ送信する送信部と、前記表示部に表示しているコンテンツに関する時間情報を前記立体画像視聴眼鏡へ送信する時間送信部とを有することを特徴とする。
【００１９】
本発明にあっては、立体画像表示装置は、コンテンツに関する時間情報を、立体画像視聴眼鏡へ送信するので、立体画像視聴眼鏡に、残駆動時間及びコンテンツに関する時間情報に基づいて、電池の充電又は交換が必要であるか否かの判定を行わせることが、可能となる。
【００２０】
本発明に係るテレビジョン受信装置は、上述の立体画像表示装置と、テレビジョン放送を受信するチューナ部とを備え、該チューナ部が受信したテレビジョン放送に係る画像を前記コンテンツとして前記立体画像表示装置に表示するようにしてあることを特徴とする。
【００２１】
本発明にあっては、立体画像表示装置を備えるテレビジョン受信装置は、テレビジョン放送に係る画像をコンテンツとして表示する。また、コンテンツに関する時間情報を、立体画像視聴眼鏡へ送信するので、立体画像視聴眼鏡に、電池の残駆動時間及びコンテンツに関する時間情報に基づいて、電池の充電又は交換が必要であるか否かの判定を行わせることが、可能となる。
【発明の効果】
【００２２】
本発明にあっては、立体画像視聴眼鏡において、時間情報を取得すると共に、電池電圧に基づいて液晶シャッタが駆動可能な時間を示す残駆動時間を算出する。時間情報及び残駆動時間に基づいて、電池の充電又は交換が必要であるか否かの判定を行うので、視聴時間に応じて、電池の充電又は交換に関する表示を行うことが可能となる。それにより、視聴途中に電池切れの発生を防ぐことが可能となる。
【図面の簡単な説明】
【００２３】
【図１】実施の形態１に係る液晶シャッタ眼鏡を含む立体画像視聴システムの構成を示した構成図である。
【図２】液晶シャッタ眼鏡のハードウェア構成の一例を示すブロック図である。
【図３】立体画像表示装置のハードウェア構成の一例を示すブロック図である。
【図４】立体画像表示装置より液晶シャッタ眼鏡へ送信される同期信号のフォーマットの一例を示す説明図である。
【図５】立体画像表示装置より液晶シャッタ眼鏡へ送信される同期信号のフォーマットの一例を示す説明図である。
【図６】コンテンツ時間情報を含む同期信号の一例を示す波形図である。
【図７】同期信号送信部（時間送信部）により、コンテンツ時間情報を含む同期信号が送信されるタイミングの一例を示す波形図である。
【図８】バッテリの電圧と駆動時間との関係の一例を示すグラフ図である。
【図９】電圧−残駆動時間変換テーブルのレコードレイアウトの一例を示す図表である。
【図１０】バッテリ残量判定処理の手順を示すフローチャートである。
【図１１】バッテリ電圧−残駆動時間変換処理の手順を示すフローチャートである。
【図１２】実施の形態２に係る立体画像表示装置及びコンテンツ再生装置のハードウェア構成の一例を示すブロック図である。
【発明を実施するための形態】
【００２４】
以下、本発明をその実施の形態を示す図面に基づき具体的に説明する。
実施の形態１
図１は、実施の形態１に係る液晶シャッタ眼鏡１を含む立体画像視聴システムの構成を示した構成図である。立体画像視聴システムは、液晶シャッタ眼鏡１及び立体画像表示装置２を含む。立体画像表示装置２は所定間隔で左眼用画像及び右眼用画像を交互に表示する。立体画像表示装置２は左眼用画像及び右眼用画像の切り替わりタイミングに関する制御信号を、液晶シャッタ眼鏡１に送信する。液晶シャッタ眼鏡１は、受信した制御信号により右眼側及び左眼側の液晶シャッタそれぞれの開閉を制御する。それにより、液晶シャッタ眼鏡１を掛けているユーザは、右眼用画像を右眼のみで、左眼用画像を左眼のみで視ることとなり、立体画像表示装置２に表示された画像を立体視することができる。
【００２５】
図２は、液晶シャッタ眼鏡１のハードウェア構成の一例を示すブロック図である。液晶シャッタ眼鏡１（立体画像視聴眼鏡）は、制御部１０、液晶シャッタ１１、同期信号受信部１２、信号処理部１３、シャッタ駆動部１４、バッテリ１５（電池）、バッテリ制御部１６、電圧−残駆動時間変換テーブル１７、スイッチ１８、表示部１９を含む。
【００２６】
制御部１０は、ＣＰＵ（Central Processing Unit）１０ａを備え、バスを介してＲＯＭ（Read Only Memory）１０ｂ及びＲＡＭ（Random Access Memory）１０ｃが、接続されている。制御部１０は、ＲＯＭ１０ｂに記憶された制御プログラムをＲＡＭ１０ｃに読み出して実行することにより、本実施の形態の液晶シャッタ眼鏡１の処理を実現する。
【００２７】
ＲＯＭ１０ｂは、ＣＰＵ１０ａの動作に必要な制御プログラムを記憶したマスクＲＯＭ、ＥＥＰ（Electrically Erasable Programmable）ＲＯＭ等の不揮発性メモリである。
【００２８】
ＲＡＭ１０ｃは、制御部１０の演算処理を実行する際に生ずる各種データを一時記憶するＤＲＡＭ（Dynamic RAM）、ＳＲＡＭ（Static RAM）等の揮発性メモリである。
【００２９】
液晶シャッタ１１は、左眼用の液晶シャッタ１１ａと右眼用の液晶シャッタ１１ｂとからなる。液晶シャッタ１１ａ、１１ｂは、立体画像表示装置２に表示される画像に合わせて、シャッタ駆動部１４により開閉が制御される。
【００３０】
同期信号受信部１２（受信部）は、立体画像表示装置２（信号源）より同期信号を受信する。同期信号は変調されているため、同期信号受信部１２は同期信号を復調する。同期信号受信部１２は、復調した同期信号をＡ／Ｄ変換して、信号処理部１３に出力する。
同期信号は２種類あり、駆動タイミング情報（開閉制御用の制御信号）のみを含む場合と、駆動タイミング情報及びコンテンツ時間情報を含む場合とがある。駆動タイミング情報は立体画像表示装置２に交互に表示される右眼用画像及び左眼用画像の切り替わりのタイミングと、液晶シャッタ１１ａ、１１ｂの開閉のタイミングとを同期させるための信号である。コンテンツ時間情報は立体画像表示装置２に表示されているコンテンツの残りの視聴時間（以下、「コンテンツ残時間」という。）である。
【００３１】
信号処理部１３は、同期信号受信部１２から入力された同期信号を、駆動タイミング情報に係る信号とコンテンツ時間情報に係る信号とに分離する。駆動タイミング情報及びコンテンツ時間情報は、符号化されているので、信号処理部１３は、それぞれを復号する。信号処理部１３は、復号化して取り出した駆動タイミング情報を、シャッタ駆動部１４に出力する。信号処理部１３は、復号化して取り出したコンテンツ時間情報を、制御部１０に出力する。
【００３２】
シャッタ駆動部１４は、信号処理部１３より入力された駆動タイミング情報に基づき、液晶シャッタ１１ａ、１１ｂを駆動し、立体画像表示装置２に表示されている画像に合わせて、液晶シャッタ１１ａ、１１ｂの開閉を行う。立体画像表示装置２に右眼用画像が表示されている場合、左眼用の液晶シャッタ１１ａを閉じ、右眼用の液晶シャッタ１１ｂを開く。立体画像表示装置２に左眼用画像が表示されている場合、左眼用の液晶シャッタ１１ａを開き、右眼用の液晶シャッタ１１ｂを閉じる。
【００３３】
バッテリ１５は、液晶シャッタ眼鏡１の各部に電源を供給する。バッテリ１５は、例えば、リチウム電池、アルカリ電池などの１次電池や、リチウムイオン電池、ニッケル水素電池、ニッケルカドミウム電池などの２次電池である。
バッテリ制御部１６（計測部）は、定期的にバッテリ電圧を計測し、内部メモリにその値を記憶する。また、同期信号を所定時間以上受信しない場合は、使用後の電源切り忘れとみなし、液晶シャッタ眼鏡１各部への電源供給を停止する。バッテリ電圧が所定値より低下した場合は、充電式バッテリの過放電を防ぐために、液晶シャッタ眼鏡１各部への電源供給を停止する。
電圧−残駆動時間変換テーブル１７は、バッテリの電圧と、残駆動時間とを対応付けたテーブルである。残駆動時間とは、バッテリがあとどのくらいの時間、制御部１０などを駆動することが可能であるかを示す時間である。
【００３４】
スイッチ１８は、液晶シャッタ眼鏡１に電源を供給するか否かを切替えるものである。
表示部１９は、液晶シャッタ眼鏡１の状態をユーザに示すものである。例えばＬＥＤ（Light Emitting Diode）であり、発光パターンや、発光色などにより、ユーザに電池の充電又は交換を促す。
【００３５】
図３は、立体画像表示装置２のハードウェア構成の一例を示すブロック図である。立体画像表示装置２は、制御部２０、画像信号入力部２１、画像信号処理部２２、パネル駆動部２３、パネル２４、眼鏡駆動タイミング生成部２５、同期信号生成部２６、同期信号送信部２７を備えている。
【００３６】
制御部２０は、ＣＰＵ２０ａを備え、バスを介してＲＯＭ２０ｂ及びＲＡＭ２０ｃが、接続されている。制御部２０は、ＲＯＭ２０ｂに記憶され制御プログラムをＲＡＭ２０ｃに読み出して実行することにより、本実施の形態の立体画像表示装置２の処理を実現する。
【００３７】
ＲＯＭ２０ｂは、ＣＰＵ２０ａの動作に必要な制御プログラムを記憶したマスクＲＯＭ、ＥＥＰＲＯＭ等の不揮発性メモリである。
【００３８】
ＲＡＭ２０ｃは、制御部２０の演算処理を実行する際に生ずる各種データを一時記憶するＤＲＡＭ、ＳＲＡＭ等の揮発性メモリである。
【００３９】
画像信号入力部２１（チューナ部）は、デジタル放送波を受信し、復調処理した符号化ビットストリームを画像符号化データと、番組配列情報であるＳＩ（Service Information）に分離する。画像信号入力部２１（抽出部）は、画像符号化データを画像信号処理部２２へ、ＳＩを制御部２０へ出力する。制御部２０は、ＳＩを基にコンテンツ残時間を計算し、計算したコンテンツ残時間を符号化し、同期信号生成部２６へ出力する。
【００４０】
画像信号処理部２２は、画像信号入力部２１より入力された画像符号化データを復号し、パネル表示に必要な画像処理を行う。画像信号処理部２２は、画像データをパネル駆動部２３に出力する。
【００４１】
パネル駆動部２３は、画像信号処理部２２より入力された復号後の左眼用又は右眼用画像データを適切なフレームレートにて表示すべくパネル２４を駆動する処理を行う。また、パネル駆動部２３は、パネル２４に表示する左眼用画像又は右眼用画像の切り替えタイミングと同期させた、タイミング信号を眼鏡駆動タイミング生成部２５に出力する。タイミング信号とは、左眼用画像又は右眼用画像の切り替えタイミングを示すものであり、０又は１を値とする信号において、左眼用画像が表示されている間は１を値とし、右眼用画像が表示されている間は０を値とする信号である。値が１から０へ切り替わるタイミングが左眼用画像から右眼用画像に切り替わるタイミングであり、値が０から１へ切り替わるタイミングが右眼用画像から左眼用画像に切り替わるタイミングである。また、タイミング信号はトリガ信号でも良い。０又は１を値とする信号において、通常は０であるが、切り替えタイミング時には所定時間１となり、その後０に戻る信号である。
【００４２】
パネル２４（表示部）は、液晶表示パネル、液晶ＥＬ（Electroluminescence）パネル、プラズマディスプレイなどであり、パネル駆動部２３により右眼用画像又は左眼用画像を表示する。
【００４３】
眼鏡駆動タイミング生成部２５は、パネル駆動部２３より入力されたタイミング信号を符号化し、駆動タイミング情報を生成する。眼鏡駆動タイミング生成部２５は、符号化した駆動タイミング情報を同期信号生成部２６に出力する。
【００４４】
同期信号生成部２６は、液晶シャッタ眼鏡１に送信する同期信号を生成する。符号化されたコンテンツ時間情報が、制御部２０により同期信号生成部２６へ入力された場合、同期信号生成部２６は、符号化された駆動タイミング情報及び符号化されたコンテンツ時間情報を含む同期信号を生成する。符号化されたコンテンツ時間情報が入力されていない場合、同期信号生成部２６は、符号化された駆動タイミング情報のみを含む同期信号を生成する。同期信号生成部２６は、生成した同期信号を同期信号送信部２７に出力する。
【００４５】
同期信号送信部２７（送信部）は、同期信号生成部２６から入力された同期信号を周波数変調し、液晶シャッタ眼鏡１に送信する。搬送波は、赤外線又は電波を用いる。
【００４６】
図４は、立体画像表示装置２より液晶シャッタ眼鏡１へ送信される同期信号のフォーマットの一例を示す説明図である。ここでは、駆動タイミング情報のみを含む場合を示している。図４Ａは、フォーマットの定義を説明するための図である。図４Ｂは、左眼用の液晶シャッタ１１ａを開き、右眼用の液晶シャッタ１１ｂを閉じる場合の信号フォーマットを示している。図４Ｃは、左眼用の液晶シャッタ１１ａを閉じ、右眼用の液晶シャッタ１１ｂを開く場合の信号フォーマットを示している。図４Ｄは、単位パルス幅を示している。図４Ａ〜４Ｃはいずれも、同期信号受信部１２で受信した同期信号を復調し、Ａ／Ｄ変換した後のデジタル信号を示している。縦軸が値、横軸が時間となっている。図４Ｄに示した時間幅ｔは、単位パルス幅時間であり、１ビットあたりの時間の長さである。
図４Ａに示すように、駆動タイミング情報は１６ビット符号で表されている。先頭の８ビット（第０ビットから第７ビット）は駆動タイミング情報であることを示すヘッダで、０１１１００１１である。第８ビットは冗長ビットであり、値は０である。第９ビットから第１２ビットの４ビットで液晶シャッタ１１ａ、１１ｂの制御情報を表している。第１３ビットから第１５ビットも冗長ビットであり、値は０である。
図４Ｂに示したように、左眼用の液晶シャッタ１１ａを開き、右眼用の液晶シャッタ１１ｂを閉じる場合は、４ビットの符号は１０１０である。図４Ｃに示したように、左眼用の液晶シャッタ１１ａを閉じ、右眼用の液晶シャッタ１１ｂを開く場合、４ビットの符号は０１０１である。
【００４７】
図５は、立体画像表示装置２より液晶シャッタ眼鏡１へ送信される同期信号のフォーマットの一例を示す説明図である。ここではコンテンツ時間情報のみを示している。図４と同様にデジタル信号であり、図５Ａ及び５Ｂの横軸は時間であり、縦軸は値である。図５Ａは、フォーマットを説明するための図である。図５Ｂは、コンテンツ時間情報の例を示した図である。図５Ａに示したように、コンテンツ時間情報は２４ビット符号で表されている。先頭の７ビット（第０ビットから第６ビット）はコンテンツ時間情報であることを示すヘッダで、値は０１１１０１０である。続く１６ビット（第７ビットから第２２ビット）は、コンテンツの時間情報を表している。コンテンツの時間情報はＢＣＤ（Binary coded decimal）符号で表される。第７ビットから第１０ビットの４ビットで時間の十の位を、第１１ビットから第１４ビットの４ビットで時間の一の位を表す。同様に第１５ビットから第１８ビットの４ビットで分の十の位を、第１９ビットから第２２ビットの４ビットで分の一の位を表す。図５Ｂに示した例では、第７ビットから第２２ビットまでの値が、００００、００１０、０１０１、０１１１であり、１０進数にすると、０、２、５、７であるから、０２時間５７分を表現している。
【００４８】
図６は、コンテンツ時間情報を含む同期信号の一例を示す波形図である。図４と同様にデジタル信号であり、横軸は時間であり、縦軸は値である。図６Ａは、立体画像表示装置２が右眼用画像又は左眼用画像いずれの画像を表示しているのかを示したものであり、０のときは右眼用画像を表示し、１のときは左眼用画像を表示している。
図６Ｂは、コンテンツ時間情報を含む同期信号を示している。同期信号にコンテンツ時間情報を含む場合は、駆動タイミング情報が１６ビット、コンテンツ時間情報が２４ビットの合計４０ビットの長さである。同期信号は、先頭から駆動タイミング情報が始まり、その後にコンテンツ時間情報が続いている。
【００４９】
図７は、同期信号送信部２７（時間送信部）により、コンテンツ時間情報を含む同期信号が送信されるタイミングの一例を示す波形図である。図４と同様にデジタル信号であり、横軸は時間、縦軸は値である。図７Ａは図６Ａと同様に、立体画像表示装置２が右眼用画像又は左眼用画像いずれの画像を表示しているのかを示したものであり、０のときは右眼用画像を表示し、１のときは左眼用画像を表示している。図７Ｂは同期信号が駆動タイミング情報のみを含むのか、又は駆動タイミング情報及びコンテンツ時間情報を含むのかを、簡略化して示したものであり、Ｓは駆動タイミング情報を、Ｔはコンテンツ時間情報を表している。駆動タイミング情報は、立体画像表示装置２に表示されている画像の周期に合わせて送信される。すなわち、１／２周期毎に表示画像が右眼用画像から左眼用画像に、又は左眼用画像から右眼用画像に切り替わるので、その切り替わりのタイミングに合わせて、駆動タイミング情報が送信される。例えば、画像の周波数が６０Ｈｚであれば、周期は１６．６ｍｓであり、駆動タイミング情報が送信される間隔は、１／２周期の８．３３ｍｓとなる。
一方、コンテンツ時間情報は、駆動タイミング情報に比べて長い周期で送信すれば、十分である。従って、図７に示したように、同期信号として、駆動タイミング情報Ｓのみが送信される場合と、駆動タイミング情報Ｓ及びコンテンツ時間情報Ｔが送信される場合とがある。図７では、５分毎にコンテンツ時間情報Ｔを送信している例を示している。
【００５０】
なお、液晶シャッタ眼鏡１において、同期信号にコンテンツ時間情報Ｔが付加されているか否かの判定は、駆動タイミング情報の後に、コンテンツ時間情報を示すヘッダがあるか否かで判定が可能である。
【００５１】
次にバッテリ残駆動時間の算出について説明する。図８は、バッテリ１５の電圧と駆動時間との関係の一例を示すグラフ図である。横軸は駆動時間、縦軸はバッテリ１５の電圧である。図８に示すグラフは、液晶シャッタ眼鏡１にバッテリ１５を取り付け、駆動時間と電圧の低下を観測することで、求める。図８に示すように、バッテリ残量が減っていくに伴い、電圧が低下する。バッテリ１５の電圧が駆動限界電圧に達した時点を、残量０とし、残駆動時間を０とする。駆動限界電圧は、その電圧を下回るまで放電させるとバッテリ１５が劣化を起こす値である。
【００５２】
図９は、電圧−残駆動時間変換テーブル１７のレコードレイアウトの一例を示す図表である。図８に示したグラフ上の点をサンプリングしたものである。バッテリ制御部１６が計測したバッテリ１５の電圧と、電圧−残駆動時間変換テーブル１７のレコードとを対比することで、バッテリ１５の残駆動時間を求めることが可能となる。
【００５３】
次に、液晶シャッタ眼鏡１におけるバッテリ残量判定処理について述べる。図１０は、バッテリ残量判定処理の手順を示すフローチャートである。図１１は、バッテリ電圧−残駆動時間変換処理の手順を示すフローチャートである。
制御部１０のＣＰＵ１０ａ（算出部）は、バッテリ制御部１６よりバッテリ電圧Ｖｃｕｒを取得する（Ｓ１）。ＣＰＵ１０ａは、取得したバッテリ電圧Ｖｃｕｒをバッテリ１５の残駆動時間に変換する（Ｓ２）。
【００５４】
バッテリ電圧−残駆動時間変換処理（図１１）において、ＣＰＵ１０ａは、ループ変数ｉを１に設定する（Ｓ１０）。次に、ＣＰＵ１０ａは、ループ変数ｉがＮと等しいかを判定する（Ｓ１１）。ここで、Ｎは電圧−残駆動時間変換テーブル１７のエントリＮｏの最大値であり、レコード数を表している。ループ変数ｉがＮと等しくない場合（Ｓ１１でＮＯ）、ＣＰＵ１０ａは、エントリＮｏがｉの電圧値Ｖ［ｉ］を電圧−残駆動時間変換テーブル１７より取得する（Ｓ１２）。ＣＰＵ１０ａは、Ｓ１で取得したバッテリ電圧Ｖｃｕｒが、Ｖ［ｉ］以上であるか否かを判定する（Ｓ１３）。ＶｃｕｒがＶ［ｉ］以上である場合（Ｓ１３でＹＥＳ）、ＣＰＵ１０ａは、Ｖ［ｉ］に対応した残駆動時間Ｔｒを電圧−残駆動時間変換テーブル１７より取得する（Ｓ１４）。ＣＰＵ１０ａは、バッテリ電圧−残駆動時間変換処理を終了し、リターンする。ＶｃｕｒがＶ［ｉ］より小さい場合（Ｓ１３でＮＯ）、ＣＰＵ１０ａは、ループ変数ｉに１を加算し（Ｓ１５）、処理をＳ１１に戻す。Ｓ１１の判定で、ループ変数ｉがＮに等しい場合（Ｓ１１でＹＥＳ）、ＣＰＵ１０ａは、Ｖ［ｉ］、すなわち、Ｖ［Ｎ］に対応した残駆動時間Ｔｒを電圧−残駆動時間変換テーブル１７より取得する（Ｓ１４）。ＣＰＵ１０ａは、バッテリ電圧−残駆動時間変換処理を終了し、リターンする。
【００５５】
図１０に戻り、ＣＰＵ１０ａは、直近のコンテンツ残時間Ｔｃを取得する（Ｓ３）。コンテンツ残時間Ｔｃは、上述したように、立体画像表示装置２から送信される同期信号により、定期的に取得される情報であり、コンテンツが終了するまでの時間である。直近の値は、ＲＡＭ１０ｃに記憶されている。ＣＰＵ１０ａは、コンテンツ残時間Ｔｃが、バッテリ電圧−残駆動時間変換処理にて取得したバッテリ１５の残駆動時間Ｔｒよりも大きいか否かを判定する（Ｓ４）。コンテンツ残時間Ｔｃがバッテリ１５の残駆動時間Ｔｒよりも大きい場合（Ｓ４でＹＥＳ）、ＣＰＵ１０ａは、表示部１９を制御し、バッテリ１５の残量が少ないことを表示する（Ｓ５）。Ｔｃ＞Ｔｒの場合、コンテンツが終了するまでにバッテリ１５が切れる可能性が高いからである。
コンテンツ残時間Ｔｃがバッテリ１５の残駆動時間Ｔｒ以下である場合（Ｓ４でＮＯ）、ＣＰＵ１０ａは、バッテリ残量判定処理を終了する。
【００５６】
Ｓ５にて行うバッテリ１５の残量が少ないことの表示は、例えば、以下のようにして行う。通常は点灯しているＬＥＤを、点滅にする。通常は点滅しているＬＥＤの点滅周期を短くする。二色発光ＬＥＤを用い、通常の場合とバッテリ残量が少ない場合とで、発光色を変える。通常は消灯しているＬＥＤを点灯するなどが、考えられる。
上述のように、ユーザにバッテリ１５の充電又は交換を促すことが可能となる。
【００５７】
なお、上述の説明において、電圧−残駆動時間変換テーブル１７は１つであるとの前提であったが、それに限られない。バッテリ１５として、複数の性能が異なるバッテリが搭載可能である場合は、バッテリ毎に電圧−残駆動時間変換テーブル１７を設け、バッテリに対応した電圧−残駆動時間変換テーブル１７を用いて、残駆動時間を求めることとしても良い。
また、同一の充電式バッテリであっても経年変化があるので、充電回数をＲＡＭ１０ｃ等に記憶しておき、その回数により、残駆動時間の値を補正することとしても良い。その場合、充電回数と補正係数とを対応付けたテーブルを用意しておき、残駆動時間の値に充電回数に対応する補正係数を掛けた値を、補正後の残駆動時間とすれば良い。
【００５８】
次に、立体画像表示装置２におけるコンテンツ残時間Ｔｃを求める処理について、説明する。以下の説明において、立体画像表示装置２は、デジタルテレビジョン受信装置であり、コンテンツはデジタルテレビ放送であるとする。
【００５９】
コンテンツ残時間Ｔｃを求めたるために、デジタルテレビ放送信号に含まれる番組配列情報ＳＩを用いる。
ＳＩは、一般社団法人電波産業会により定められた標準規格である。規格番号はＡＲＩＢ  ＳＴＤ−Ｂ１０、規格名は、「デジタル放送に使用する番組配列情報」である。ＳＩは、ＳＤＴ（Service Description Table）、ＥＩＴ（Event Information Table）、ＢＡＴ（Bouquet Association Table）、ＴＤＴ（Time Date Table）、ＴＯＴ（Time Offset Table）など、複数のテーブルから構成されている。本実施の形態では、ＥＩＴ及びＴＯＴを用いる。
【００６０】
ＥＩＴには、番組開始時刻を示すstart_timeと、放送時間を示すdurationが含まれている。ＴＯＴには、現在時刻を示すJST_timeが含まれている。制御部２０は、パネル２４に表示しているコンテンツに関するstart_time及びdurationをＥＩＴから読み出す。また、制御部２０は、ＴＯＴから現在時刻JST_timeを読み出す。制御部２０は、これらの値を用いて、コンテンツ残時間Ｔｃを、以下の式（１）より求める。
Ｔｃ  ＝  start_time  + duration - JST_time…（１）
制御部２０は、Ｔｃを求める処理を所定時間間隔、例えば、５分間隔で行い、求めたＴｃを、同期信号生成部２６に出力する。
なお、現在時刻はＴＯＴに含まれる値を用いたが、制御部２０にリアルタイムクロックを設けておき、リアルタイムクロックより取得する構成としても良い。
【００６１】
上述したように、液晶シャッタ眼鏡１の制御部１０は、立体画像表示装置２から送信された同期信号より抽出したコンテンツ残時間及びバッテリ１５の電圧から求めたバッテリ１５の残駆動時間を比較する。コンテンツが終了するまでに、バッテリ切れを起こすと制御部１０が判定した場合には、表示部１９にてバッテリ１５の充電又は交換を促す旨の表示を行う。それにより、ユーザがコンテンツを視聴中に、液晶シャッタ眼鏡１が、バッテリ切れを起こし立体画像が見られなくなることを防ぐことが可能となる。
【００６２】
上述の説明においては、コンテンツはデジタルテレビ放送であるとしたが、それに限られない。立体画像表示装置２であるデジタルテレビジョン受信装置に録画機能（自己録機能）がある場合に、録画されたコンテンツ（テレビ放送）を再生しているときにも、上述と同様な処理により、コンテンツ残時間Ｔｃを求めることが可能である。ただし、録画されたコンテンツと共にＳＩ、特にＳＩに含まれるＥＩＴ及びＴＯＴが記憶されていることが必要である。そして、ＥＩＴ及びＴＯＴが、録画されたコンテンツと同期する形で記憶されていれば、上述と同様な処理により、start_time、duration、JST_timeより、コンテンツ残時間Ｔｃを求めることが可能である。
【００６３】
また、ＥＩＴのみが記憶されている場合は、録画されたコンテンツを再生しているときに、すでに再生済みのコンテンツの時間Ｔｐを記憶しておくことにより、コンテンツ残時間Ｔｃを以下の式（２）から求めることが可能である。
Ｔｃ  ＝  duration − Ｔｐ…（２）
制御部２０は、Ｔｃを求める処理を所定時間間隔、例えば、５分間隔で行い、求めたＴｃを、同期信号生成部２６に出力する。
【００６４】
実施の形態２
図１２は、実施の形態２に係る立体画像表示装置２及びコンテンツ再生装置３のハードウェア構成の一例を示すブロック図である。
実施の形態２においては、記録媒体４に記憶されたコンテンツを再生するコンテンツ再生装置３を含んでいる。コンテンツ再生装置３は接続ケーブル５により立体画像表示装置２と接続されている。接続ケーブル５を介して、コンテンツ再生装置３は記録媒体４から読み出したコンテンツに係る画像データを立体画像表示装置２に出力する。また、接続ケーブル５を介して、コンテンツ再生装置３と立体画像表示装置２は、制御命令のやり取りを行う。
【００６５】
立体画像表示装置２は、実施の形態１における立体画像表示装置２と一部を除いて同様な構成である。同様な構成については、同一の符号を付し、説明を省略する。
画像信号入力部２１１は、接続ケーブル５を介して画像データを受信する。画像信号入力部２１１は、受信した画像データを画像信号処理部２２１に出力する。
コンテンツ再生装置３から受信する画像データは、非圧縮の画像データであるため、画像信号入力部２１１における復調処理、及び画像信号処理部２２１における復号処理は不要である。
制御命令インタフェース２８は、接続ケーブル５を介して、コンテンツ再生装置３と制御命令のやり取りを行う。
【００６６】
コンテンツ再生装置３は、制御部３０、データ読出部３１、データ復号部３２、画像メモリ３３、画像インタフェース３４、制御命令インタフェース３５を含む。また、コンテンツ再生装置３は、記録媒体４よりコンテンツを読み出すよう構成してある。
【００６７】
制御部３０は、コンテンツ再生装置３の各部を制御する。
【００６８】
データ読出部３１は、記録媒体４から画像データを読み出し、読み出した画像データをデータ復号部３２に出力する。
データ復号部３２は変調されている画像データを復調する。更に圧縮されたデータを解凍する。データ復号部３２は、解凍した画像データを画像メモリ３３に書き込む。
画像メモリ３３は、データ復号部３２が書き込んだ画像データを一時的に記憶している。
【００６９】
画像インタフェース３４は、画像メモリ３３に記憶されている画像データを立体画像表示装置２に接続ケーブル５を介して送信する。
【００７０】
制御命令インタフェース３５は、接続ケーブル５を介して、立体画像表示装置２と制御命令のやり取りを行う。
【００７１】
記録媒体４は、ＤＶＤ（Digital Versatile Disk）、ＢＤ（Blu-ray Disk）などである。
【００７２】
接続ケーブル５は、画像データ及び制御命令を送受信するためのケーブルである。
【００７３】
次に、コンテンツ時間情報の処理について、説明する。なお、以下の説明においては、立体画像表示装置２とコンテンツ再生装置３との接続はＨＤＭＩ（High-Definition Multimedia Interface）ケーブルによって接続され、制御命令インタフェース２８、３５にはＣＥＣ（Consumer Electronics Control）が採用されているものとする。ＨＤＭＩ、ＣＥＣに関する技術自体は公知であり、ここでは説明を省略する。
【００７４】
立体画像表示装置２は、制御命令インタフェース２８より、コンテンツ時間情報の送信要求マコンドを、接続ケーブル５を介して、コンテンツ再生装置３に送信する。コンテンツ再生装置３は、送信要求コマンドを、接続ケーブル５を介して、制御命令インタフェース３５（コンテンツ取得部）にて受信する。コンテンツ再生装置３は、再生しているコンテンツの再生時間及び再生残時間を、接続ケーブル５を介して、制御命令インタフェース３５にて、立体画像表示装置２に送信する。立体画像表示装置２は、コンテンツ再生装置３より、コンテンツの再生時間及び再生残時間を、接続ケーブル５を介して、制御命令インタフェース２８にて、受信する。立体画像表示装置２は、受信した再生残時間を、コンテンツ残時間Ｔｃとして、上述したように同期信号に含め、同期信号送信部２７より、液晶シャッタ眼鏡１に送信する。液晶シャッタ眼鏡１の動作については、実施の形態１と同様なので、省略する。
なお、制御命令の送受信は、ＣＥＣを使うものとしたが、再生時間及び再生残時間の送受信に関する共通なコマンドが設けられていない場合、ベンダー拡張コマンドとして実装すれば良い。また、再生時間及び再生残時間についての送受信が行えるコマンド体系であれば、ＣＥＣ以外のものを再生しても良い。
【００７５】
実施の形態２においても、実施の形態１と同様な効果を奏する。
【００７６】
実施の形態３
本実施の形態では、上述の実施の形態２において、コンテンツ再生装置３からコンテンツ残時間を得られない場合に、コンテンツの内容よりコンテンツ残時間を決定し、バッテリ残量判定処理（図１０）を行う。
構成については、実施の形態２と同様なので、同様な部分については説明を省略し、相違する点を主に説明する。
【００７７】
本実施の形態では、コンテンツ再生装置３が再生しているコンテンツが映画である場合、コンテンツ残時間を２時間とし、それ以外は１時間とし、バッテリ残量判定処理を行う。
【００７８】
コンテンツが映画であるか否かを判定する処理の一例を、以下に説明する。
【００７９】
映画フィルムで記録された映像は、一般に毎秒２４コマで記録されている。一方、テレビ放送で採用されているＮＴＳＣ規格は、毎秒３０フレーム(６０フィールド)であるため、２−３プルダウンという方式で変換が行われている。
２−３プルダウン方式では、フィルムの各コマを、奇数番目のコマは２フィールドに、偶数番目は３フィールドに変換することにより、２コマを５フィールド、すなわち２４コマを６０フィールドに変換している。映画の２コマ（Ａ及びＢ）は、連続する５つのフィールド（Ａ、Ａ、Ａ、Ｂ、Ｂ）に変換される。つまり、映画フィルムからＮＴＳＣ方式に変換された画像では、同じフィールドＡが３枚連続し、次に、同じフィールドＢが２枚連続するという、規則的なパターンが存在する。この規則的なパターンを用いて、コンテンツが映画であるか否かの判定を行う。
【００８０】
本実施の形態において、立体画像表示装置２の画像信号処理部２２１（解析部）は、以下の処理を行う。あるフィールドと、その２つ前のフィールドとの差分を算出する。５枚のフィールド中に２枚の同じフィールドが含まれる。したがって、２つのフィールド間の差分を順次算出すると、５枚のフィールド中に１組は、差分がほぼ０となるフィールドの組が存在する。これにより、画像信号処理部２２１は、差分がほぼ０となる割合を検出することで、コンテンツ再生装置３から送られた画像データが２−３プルダウンされた画像を含んでいることを検出することができる。つまり、差分がほぼ０となる割合が５枚のフィールド中に１組のフィールドであると検出した場合、画像信号処理部２２１は、画像データが映画画像から生成された画像データであることを示す情報を制御部２０へ出力する。
【００８１】
制御部２０は、画像データが映画であると判定した場合は、コンテンツ残時間を、２時間とし、それ以外は１時間と設定する。制御部２０は、設定したコンテンツ時間情報を同期信号生成部２６に出力する。同期信号生成部２６は、コンテンツ時間情報を含む同期信号を生成し、同期信号送信部２７に出力する。同期信号送信部２７は入力され同期信号を搬送波に載せて、液晶シャッタ眼鏡１に送信する。液晶シャッタ眼鏡１で行う処理は、上述の実施の形態１で示したものと同様であるので、省略する。
【００８２】
制御部２０は、コンテンツ再生装置３から画像データの入力が開始され、かつ、コンテンツ残時間情報を制御命令インタフェース２８にて取得できない場合は、上述のコンテンツが映画であるか否かの判定を行うものとする。
【００８３】
なお、最初にコンテンツ残時間を設定し、それを液晶シャッタ眼鏡１に送信した後は、所定の時間（例えば、５分）毎にコンテンツ残時間を所定の時間分減算し、減算したコンテンツ残時間を、コンテンツ時間情報として液晶シャッタ眼鏡１に送信すれば良い。
また、画像データが映画であると判定した場合は、コンテンツ残時間を、２時間とし、それ以外は１時間と設定するものとしたが、これに限らず他の時間設定でも良い。
【００８４】
上述したように、立体画像表示装置２は、コンテンツ再生装置３よりコンテンツ残時間が取得できない場合においても、コンテンツ再生装置３より取得した画像を解析し、コンテンツ残時間を設定する。立体画像表示装置２は、設定したコンテンツ残時間を液晶シャッタ眼鏡１に送信する。液晶シャッタ眼鏡１は、送信された同期信号より抽出したコンテンツ残時間及びバッテリ１５の電圧から求めた残駆動時間を比較する。コンテンツが終了するまでに、バッテリ切れを起こすと制御部１０が判定した場合には、表示部１９にてバッテリ１５の充電又は交換を促す旨の表示を行う。それにより、ユーザがコンテンツを視聴中に、液晶シャッタ眼鏡１が、バッテリ切れを起こし立体画像が見られなくなることを防ぐことが可能となる。
【００８５】
なお、上述の実施形態１から３では、立体画像表示装置２から液晶シャッタ眼鏡１へ同期信号を赤外線又は電波にて送信するものとしたが、それに限られない。立体画像表示装置２と液晶シャッタ眼鏡１を通信ケーブルで結び、通信ケーブルで同期信号の送受信を行なっても良い。この場合、同期信号は周波数変調しなくても良い。
【００８６】
また、上述した実施の形態はすべての点で例示であって、制限的なものではないと考えられるべきである。本発明の範囲は、上述した意味ではなく、特許請求の範囲によって示され、特許請求の範囲と均等の意味及び範囲内でのすべての変更が含まれることが意図される。
【符号の説明】
【００８７】
１  液晶シャッタ眼鏡
１０  制御部
１１  液晶シャッタ
１２  同期信号受信部
１５  バッテリ
１６  バッテリ制御部
１７  電圧−残駆動時間変換テーブル
１９  表示部
２  立体画像表示装置
２０  制御部
２１、２１１  画像信号入力部
２２、２２１  画像信号処理部
２３  パネル駆動部
２５  眼鏡駆動タイミング生成部
２６  同期信号生成部
２７  同期信号送信部
２８  制御命令インタフェース
３  コンテンツ再生装置
３０  制御部
３１  データ読出部
３２  データ復号部
３４  画像インタフェース
３５  制御命令インタフェース
４  記憶媒体
５  接続ケーブル
【図１】
2013126179.tif 000003
【図２】
2013126179.tif 000004
【図３】
2013126179.tif 000005
【図４】
2013126179.tif 000006
【図５】
2013126179.tif 000007
【図６】
2013126179.tif 000008
【図７】
2013126179.tif 000009
【図８】
2013126179.tif 000010
【図９】
2013126179.tif 000011
【図１０】
2013126179.tif 000012
【図１１】
2013126179.tif 000013
【図１２】
2013126179.tif 000014